(57)【要約】  画像化システムにおいて周囲光を抑制する方法（４００）であって、マルチリーフコリメータ（ＭＬＣ）のリーフをＭＬＣのハウジング内に設けられた照明システムの第１の光で照明するステップと、ＭＬＣのアパーチュアを通ってＭＬＣのハウジング内の周囲光を受け取るステップと、ＭＬＣのハウジング内に位置する光学素子を含む画像化システムを用いて第１の光および周囲光で照明されたＭＬＣのリーフの画像を捕捉するステップ（４１０）とを含むことを特徴とする方法。この方法は、第１の画像中の周囲光を抑制してＭＬＣのリーフの第２の画像を生成するステップと、第２の画像中のＭＬＣのリーフの特徴を検出するステップとを更に含むのが良い。【選択図】図４
2018524066.tif 000002
【特許請求の範囲】
【請求項１】
方法であって、
マルチリーフコリメータ（ＭＬＣ）のハウジング内に配置された照明システムを用いて前記ＭＬＣのリーフを第１の光で照明するステップと、
前記ＭＬＣのアパーチュアを通って前記ＭＬＣの前記ハウジング内の周囲光を受け取るステップと、
前記ＭＬＣの前記ハウジング内に位置する光学素子を含む画像化システムを用いて前記第１の光および前記周囲光で照明された前記ＭＣＬの前記リーフの第１の画像を捕捉するステップと、
前記第１の画像中の前記周囲光を抑制して前記ＭＬＣの前記リーフの第２の画像を処理装置によって生成するステップと、
前記第２の画像中の前記ＭＬＣの前記リーフの特徴を検出するステップとを含む、方法。
【請求項２】
前記第１の画像中の周囲光を抑制する前記ステップは、前記ＭＬＣの前記アパーチュアを形作る前記リーフの前縁近くの周囲光を抑制するステップを含む、請求項１記載の方法。
【請求項３】
前記第２の画像中の前記検出された特徴を用いて前記ＭＬＣのリーフの位置を追跡するステップを更に含む、請求項１記載の方法。
【請求項４】
前記周囲光を抑制して前記第２の画像を生成する前記ステップは、
前記第１の画像に関する減衰マップを生成するステップと、
前記減衰マップを用いて前記第２の画像を生成するステップとを含む、請求項１記載の方法。
【請求項５】
前記周囲光を抑制して前記第２の画像を生成する前記ステップは、前記減衰マップの生成に先立って前記第１の画像に関する飽和マップを決定するステップを更に含み、前記減衰マップを生成する前記ステップは、一連の形態学的および非線形変換を前記飽和マップに適用するステップを含む、請求項４記載の方法。
【請求項６】
前記第２の画像を生成する前記ステップは、前記減衰マップを画素単位乗算により前記第１の画像に適用するステップを含む、請求項４記載の方法。
【請求項７】
前記周囲光を抑制する前記ステップは、
第１の画像を受け取るステップを含み、前記第１の画像は、第１の複数の画素値を対応して有する第１の複数の画素を含み、
前記第１の複数の画素値の各画素値に対して乗算処理を行うことによって第２の複数の画素値を生成するステップを含み、
飽和レベルに対してある特定の応答を達成するよう定められた係数を有する多項式関数を用いて第３の複数の画素値を生成するステップを含み、前記第３の複数の画素値は、前記第２の画像を構成する、請求項１記載の方法。
【請求項８】
前記飽和マップは、前記第１の画像中に画素の色と基準色との間の色空間距離を有する、請求項４記載の方法。
【請求項９】
前記飽和マップは、前記第１の画像中の各画素の彩度の表現であり、前記方法は、
前記第１の画像に対してホワイトバランシング処理を実施するステップを更に含む、請求項４記載の方法。
【請求項１０】
前記ホワイトバランシング処理を実施する前記ステップは、
前記第１の画像と関連した関心のある領域を決定するステップと、
前記第１の画像中の前記関心のある領域と関連した複数の画素のうちの各々について平均赤緑青（ＲＧＢ）画素値を計算するステップと、
前記平均ＲＧＢ画素値に基づいて強度因子を計算するステップと、
前記平均ＲＧＢ画素値および前記強度因子に基づいてホワイトバランスパラメータベクトルを計算するステップと、
前記ホワイトバランスパラメータベクトルを前記第１の画像中の複数の画素の類似した位置に対応する次の画像中の次の複数の画素に適用するステップとを含む、請求項９記載の方法。
【請求項１１】
前記ホワイトバランスパラメータベクトルは、次の画像中の前記複数の画素を補正するために画素単位乗算によって適用される、請求項１０記載の方法。
【請求項１２】
前記減衰マップを生成する前記ステップは、
前記第１の画像中の画素について減衰曲線を創成するステップを含み、前記減衰曲線は、周囲光に起因して高い飽和度値を有する画素を減衰させ、前記減衰曲線は、前記第１の画像中のコリメータリーフ存在場所を表す画素を減衰させない、請求項４記載の方法。
【請求項１３】
前記減衰マップに対して形態学的処理を実施して前記減衰マップ中のノイズおよび高周波数アーチファクトを減少させるステップを更に含む、請求項１２記載の方法。
【請求項１４】
前記照明システムは、ＬＥＤ照明システムである、請求項１記載の方法。
【請求項１５】
前記第１の光は、白色光である、請求項１記載の方法。
【請求項１６】
前記第１の光は、前記第１の一次波長を有し、前記周囲光は、第２の一次波長を有し、前記第１の一次波長は、前記第２の一次波長とは同じでないように選択される、請求項１記載の方法。
【請求項１７】
放射線治療システムであって、
ハウジング内に配置されたマルチリーフコリメータ（ＭＬＣ）と、
前記ＭＬＣの前記ハウジング内に設けられていて、前記ＭＬＣのリーフを第１の光で照明する照明システムと、
前記第１の光および周囲光で照明された前記ＭＬＣの前記リーフの第１の画像を捕捉する画像化システムと、
前記ＭＬＣのリーフの複数の画像を記憶するメモリと、
前記メモリに作動的に結合された処理装置とを含み、前記処理装置は、
前記ＭＬＣの前記リーフの前記第２の画像を前記処理装置によって生成するよう前記第１の画像中の前記周囲光を抑制し、そして、
前記第２の画像中の前記ＭＬＣの前記リーフの特徴を検出するよう構成されている、放射線治療システム。
【請求項１８】
前記第１の画像中の前記周囲光を抑制するため、前記処理装置は更に、前記ＭＬＣのアパーチュアを形作る前記リーフの前縁の近くの周囲光を抑制するよう構成されている、請求項１７記載の放射線治療システム。
【請求項１９】
前記処理装置は更に、前記第２の画像を含む前記検出された特徴を用いて前記ＭＬＣのリーフの位置を追跡するよう構成されている、請求項１７記載の放射線治療システム。
【請求項２０】
前記第１の画像は、第１の複数の画素値を対応関係をなして有する第１の複数の画素を有し、前記周囲光を抑制するため、前記処理装置は更に、
前記第１の複数の画像値のうちの各画素値に対して乗算処理を実施することによって第２の複数の画素値を生成し、そして、
前記周囲光のある特定の形式についての応答を得るために決定された係数を有する多項式関数を用いて第３の複数の画素値を生成するよう構成され、前記第３の複数の画素は、前記第２の画像を構成する、請求項１９記載の放射線治療システム。
【請求項２１】
前記画像化システムは、前記ＭＬＣの前記ハウジング内に位置する光学素子を含む、請求項１７記載の放射線治療システム。
【請求項２２】
前記周囲光を抑制するため、前記処理装置は更に、
前記第１の画像化について減衰マップを生成し、そして、
前記減衰マップを用いて前記第２の画像を生成するよう構成されている、請求項１７記載の放射線治療システム。
【発明の詳細な説明】
【技術分野】
【０００１】
本発明の実施形態は、放射線治療システムで用いられるマルチリーフコリメータ（multi-leaf collimator：ＭＬＣ）のための光学カメラ搭載型追跡システム、特に光学カメラ搭載型追跡システムのＭＬＣハウジングに入る周囲光の影響の抑制に関する。
【０００２】
〔関連出願の説明〕
本願は、２０１５年６月１２日に出願された米国特許仮出願第６２／１７５，１４９号の優先権主張出願であり、この米国特許仮出願を参照により引用し、その記載内容全体を本明細書の一部とする。
【背景技術】
【０００３】
コリメータは、治療ビームと呼ばれる高エネルギー粒子のビームをシェーピング（整形）するために放射線治療で用いられる場合が多い。放射線治療システムの中には、マルチリーフコリメータ（ＭＬＣ）と呼ばれる可変アパーチュア型コリメータを用いるものがある。マルチリーフコリメータは、治療ビームの経路中に別個独立に入ったりこれから出たりすることができる個々のリーフの集まりで構成されたコリメータである。原体照射治療（conformal radiation treatment）に関し、ＭＬＣにより、治療ビームのコンフォーマルシェーピングが可能である。したがって、画像を利用したフィードバックを用いて個々のリーフの正確な配置を保証することができる。
【発明の概要】
【０００４】
本発明によれば、方法であって、
マルチリーフコリメータ（ＭＬＣ）のハウジング内に配置された照明システムを用いてＭＬＣのリーフを第１の光で照明するステップと、
ＭＬＣのアパーチュアを通ってＭＬＣのハウジング内の周囲光を受け取るステップと、
ＭＬＣのハウジング内に位置する光学素子を含む画像化システムを用いて第１の光および周囲光で照明されたＭＣＬのリーフの第１の画像を捕捉するステップと、
第１の画像中の周囲光を抑制してＭＬＣのリーフの第２の画像を処理装置によって生成するステップと、
第２の画像中のＭＬＣのリーフの特徴を検出するステップとを含むことを特徴とする方法が提供される。
【０００５】
また、本発明によれば、放射線治療システムであって、
ハウジング内に配置されたマルチリーフコリメータ（ＭＬＣ）と、
ＭＬＣのハウジング内に設けられていて、ＭＬＣのリーフを第１の光で照明する照明システムと、
第１の光および周囲光で照明されたＭＬＣのリーフの第１の画像を捕捉する画像化システムと、
ＭＬＣのリーフの複数の画像を記憶するメモリと、
メモリに作動的に結合された処理装置とを含み、処理装置は、
ＭＬＣのリーフの第２の画像を処理装置によって生成するよう第１の画像中の周囲光を抑制し、そして、
第２の画像中のＭＬＣのリーフの特徴を検出するよう構成されていることを特徴とする放射線治療システムが提供される。
【０００６】
本発明は、添付の図面に含まれる図に例示的にかつ非限定的に示されている。
【図面の簡単な説明】
【０００７】
【図１Ａ】本発明の実施形態に従って交換可能な可変アパーチュア型コリメータを備えたロボット利用ＬＩＮＡＣを含む放射線治療システムのコンポーネントの一実施形態を示す図である。
【図１Ｂ】本発明の実施形態に従ってリーフの配置場所を確認するためにカメラフィードバックシステムを利用するＭＬＣハウジングを示す図である。
【図１Ｃ】本発明の実施形態に従って交換可能な可変アパーチュア型コリメータを備えたロボット利用ＬＩＮＡＣを含む放射線治療システムのコンポーネントの別の実施形態を示す図である。
【図２Ａ】本発明の実施形態に従って、周囲光がＭＬＣのアパーチュアを通って入るＭＬＣハウジングの内側からの図である。
【図２Ｂ】本発明の実施形態に従って、周囲光がＭＬＣのアパーチュアを通って入るＭＬＣハウジングの内側からの図である。
【図３】本発明の実施形態によるＭＬＣアパーチュアのフィードバックカメラ画像を示す図である。
【図４】本発明の実施形態に従って画像化システムにおいて周囲光を抑制する方法の流れ図である。
【図５】本発明の実施形態に従って図３に示されたフィードバックカメラ画像のために作られた最終の画像を示す図である。
【図６】本発明の実施形態に従って放射線治療を実施する際に利用できるシステムの一実施形態を示す図である。
【図７】本発明の実施形態によるガントリ（回転照射機構）を利用した画像誘導式放射線治療システムを示す図である。
【図８】本発明の実施形態によるガントリ利用型画像誘導式治療システムを示す図である。
【図９】本発明の実施形態によるガントリ利用型強度変調放射線療法（ＩＭＲＴ）システムを示す図である。
【発明を実施するための形態】
【０００８】
本明細書において、カメラ利用型追跡システムに対する周囲光の影響を抑制する方法が記載される。一実施形態では、放射線治療システムの線形加速器内におけるＭＬＣリーフ位置の視覚的追跡および確認を可能にするため、コリメータハウジング内に配置されたカメラを含むカメラ利用型リーフ位置フィードバックシステムが具体化される。カメラ利用型リーフ追跡システムは、リーフ表面の画像上で視認できるリーフ特徴（例えば、切欠き、縁（エッジ）、突出部など）を検出することによって動作する。カメラが照明が最小限であるコリメータハウジング内に配置されているので、ハウジング内に配置されたＬＥＤ照明システムは、リーフの表面を光で照明するために用いられる。外部光は、コリメータハウジングに入ってそしてアパーチュアの内側上のリーフの側部で反射する場合がある。これにより、アパーチュアを形作るリーフの前縁の近くに位置する照明を含むアパーチュア内の望ましくない照明が生じる。かかる照明により、リーフ位置の視覚的追跡および確認が困難になる場合がある。
【０００９】
本発明の実施形態は、周囲光を抑制する技術に関し、この周囲光抑制技術は、ホワイトバランシング処理を含むのが良く、すなわち、色飽和度または彩度を決定するステップ、周囲光減衰マップを作成するステップおよび周囲光減衰マップを元の画像に適用するステップを含む。種々の実施形態は、アパーチュア全体、特にアパーチュアを形作るリーフの前縁の近くの望ましくない照明を減少させることによってリーフの配置場所の正確な視覚的確認を可能にする。加うるに、これら実施形態は、周囲光の影響を受ける他形式の画像化システムに利用できる。一実施形態では、カメラ利用型フィードバックシステムは、一次フィードバックシステムであるのが良い。別の実施形態では、カメラ利用型フィードバックシステムは、二次フィードバックシステムであるのが良い。
【００１０】
注目されるべきこととして、白色光と関連してある特定の実施形態を本明細書において説明するが、本明細書において説明する方法は、特徴付けされた光源（原色の波長を知って）とともに使用することも可能である。色は、内部システムと周囲光との色分解を最大にするために動作環境に基づいて選択されるのが良い。色選択は、治療施設でまたは製造時点でＬＩＮＡＣ１０１の設置時点で行われるのが良い。例えば、照明システムが治療室内にも設置される場合、所望の内部色は、設置のために選択されるのが良い。変形例として、ＬＩＮＡＣ１０１の設置時点において、ＭＬＣ照明システム１０７がＭＬＣ内の周囲光の色を計測するためにターンオフされた状態でセンサがＭＬＣアパーチュア（例えば、アパーチュア２０２によって示されている）内に保持されても良い。この実施形態では、計測された色に近すぎると見なされる色であればどんな色であっても（例えば、最も異なる色またはＲＧＢ／色度空間内のＬ２距離をコンピュータ計算するために国際照明委員会（ＣＩＥ）によって用いられる測定基準例えばデルタ‐Ｅ測定基準を用いて）が周囲光であると見なされる。これは、一実施形態に従って実施できる以下に説明するホワイトバランシング処理（例えば、図４の処理４２０）の必要性をなくすることができる。特定の一実施形態では、システム性能を最大にするため、ＭＬＣハウジングが用いられる放射線治療室の周囲照明条件は、種々の仕方で実施できる最も異なるＭＬＣ照明色（波長）を求めるために分析されるのが良い。一実施形態では、周囲光がＲＧＢ空間内のＢＬＵＥ（青色）（［０，０，１］）である場合、例えば、最適内部光は、ＹＥＬＬＯＷ（黄色）（［１，１，０］）であるのが良く、この色は、ＲＥＤ（赤色）とＧＲＥＥＮ（緑色）の組み合わせであり、その結果、３つの独立した色軸線に沿って最も大きな分解が得られる。この分解を定量化するもう１つの仕方は、色相・彩度・明度（Hue, Saturation and Value：ＨＳＶ）空間であり、このＨＳＶ空間では、第１のチャネルは、色相／クロマである。図１Ａおよび図１Ｃは、交換可能なコリメータ１００を備えたロボット利用型線形加速器（ＬＩＮＡＣ）１０１を含む放射線治療システムのコンポーネントの実施形態の互いに異なる図である。一実施形態では、放射線治療システム１０２は、ロボットアーム１０３に取り付けられたＬＩＮＡＣ１０１を有する放射線放射ロボットを含む。コリメータハウジング１００は、ＬＩＮＡＣ１０１に取り外し可能に取り付けることができる互いに異なるアパーチュアの種々の形式のコリメータ（例えば、虹彩コリメータ、ＭＬＣなど）のうちの任意の１つを収容するのが良い。互いに異なるコリメータは、コリメータ台１０４内に位置するのが良く、このコリメータ台の中において、放射線治療ロボットを動かしてコリメータ形式に基づいてコリメータをピックアップしたり降ろしたりすることができる。特定のアパーチュアは、放射線治療計画の詳細に合わせられている。以下に説明する実施形態では、コリメータハウジング１００は、ＭＬＣを含むコリメータハウジングを表している。変形実施形態では、本明細書において説明する方法を他形式の可変アパーチュア型コリメータおよび他形式の��射線治療システム（例えば、ガントリ利用型ＬＩＮＡＣ治療システム）に利用することができる。
【００１１】
図１Ｂは、ＭＬＣハウジング１００の図１Ａの１Ｂ‐１Ｂ′線矢視断面側面図である。ＭＬＣハウジング１００は、ＭＬＣハウジング１００の内部を照明するために用いられる内部（例えば、ＬＥＤ）照明システム１０７を有し、この内部照明システムは、ＬＥＤ灯１０８およびディフューザ１１０を含む。カメラフィードバックシステムは、ＭＬＣ列またはバンク（例えば、１０６）の個々のリーフ存在場所のライブ画像を捕捉するためにカメラ１０５を利用している。注目されるべきこととして、カメラ１０５は、放射線ビームによる影響を受けないようにビーム経路から離れて配置されたカメラ１０５と関連している光学素子および他のエレクトロニクスを含む画像イメージセンサを有するのが良い。カメラ１０５およびその関連のエレクトロニクスならびに照明システム１０７は、ディジタル処理システム６７０に連結されているカメラフィードバックシステムの一部であるのが良い。図４と関連した処理の具体化に関して図６を参照してディジタル処理システム６７０につき更に説明する。
【００１２】
ＬＩＮＡＣ１０１の作動中、周囲光１０９がＭＬＣハウジング１００内のリーフの２つの列相互間のアパーチュアを通ってＭＬＣハウジング１００に入る（ベクトル１１９で表されている）。注目されるべきこととして、図１Ｂは、ＭＬＣハウジング１００の断面側面図であるので、リーフの列のうちの１つだけが図示されている。アパーチュアは、図２Ａおよび図２Ｂに示されているようにＬＩＮＡＣ１０１によって生じた放射線ビームを通過させることができるリーフの２つの列相互間の開口部である。周囲光１０９がＭＬＣ列１０６および対向した列１１１によって形成されたアパーチュアを通過しているとき、この周囲光は、アパーチュアの内部のリーフの側部で反射する。
【００１３】
図２Ａは、図１のカメラ１０５によって捕捉されたままのＭＬＣハウジング１００の内側から見た図である。周囲光１０９がＭＬＣ列１０６および対向した列１１１によって形成ハウジング１００に入ると、周囲光は、破線の楕円２０２によって示された全体的領域内のアパーチュアの内側に位置したＭＬＣ列１０６のリーフの側部で反射する。注目されるべきこととして、このアパーチュアは、ＭＬＣ列１０６，１１１のリーフの中央前縁によって形成された領域であるのが良い。図２Ｂは、ＭＬＣ列１０６，１１１のリーフの中央前縁の近くに位置していて周囲光１０９によって引き起こされた望ましくない照明に２０４を示している。望ましくない照明２０４（この望ましくない照明の形状は、参照符号２０２によって全体的に示されたアパーチュアを表している）は、追跡可能なリーフ特徴（一実施形態では、これは、リーフに設けられた切欠きであるのが良いが、他形式の特徴、例えばリーフの縁であっても良い）として誤って識別される場合のあるアパーチュア中の視覚的パターンを形成することによってそして実際の追跡可能なリーフ特徴近くの画像の外観を変化させることによってＭＬＣ列１０６，１１１の個々のリーフの存在場所を求めて確認するカメラフィードバックシステムの能力に悪影響を及ぼす場合がある。
【００１４】
図３は、光学画像化システムの斜視図からのＭＬＣハウジング１００の内面の画像３００を示している。周囲光がアパーチュア２０２（このアパーチュアの参照符号の矢印は、ＭＬＣ列１０６のリーフの前縁によって形成された中央領域に向いている）を通って入り、図１のＭＬＣハウジング１００内に配置された金属表面を照明する。この場合、周囲光は、アパーチュア２０２の下方領域３０２をかなり照明するものとして示されている。
【００１５】
図４は、画像化システム内の周囲光の影響を抑制するための方法４００の流れ図である。方法４００は、ＭＬＣハウジングに入ってＭＬＣリーフ位置を追跡するために用いられる光学カメラ利用型画像化システムに悪影響を及ぼす周囲光の抑制に関して記載されている。しかしながら、理解されるべきこととして、方法４００は、周囲光の影響を受ける他の画像化システム、特に、周囲光が一領域内に閉じ込められ、この領域が照明されるようにはなってはおらずまたは影響を受けた領域を暗くすることが望ましい場合に周囲光を抑制するためにも使用できる。方法４００は、ハードウェア（例えば、回路、専用論理、プログラム可能論理、マイクロコードなど）、ソフトウェア（例えば、ハードウェアシミュレーションを行うために処理装置上で実行される命令）、またはこれらの組み合わせを含む処理論理によって実施されるのが良い。
【００１６】
ブロック４１０では、処理ロジックは、フィードバックシステムカメラ１０５を用いてＭＬＣ列表面およびアパーチュアの画像を捕捉する。ブロック４２０において、一実施形態では、カメラおよび内部照明システムは、結果として内部光だけが存在する状態でカメラから見てコリメータハウジング内の機械的表面（例えば、ＭＬＣ列のリーフ）がグレースケール（ほぼ無色）に見えるようになっていない場合、オプションとしてのホワイトバランシング処理を実施するのが良い。カメラ１０５のレンズが変色して不透明になり、しかもカメラ１０５のイメージセンサの性能がカメラが動作する放射線環境に起因して変わるので、色の変化が起こる場合がある。ホワイトバランシング処理は、カメラシステム内のかかる放射線により引き起こされる変化を補償するために実施されるのが良い。
【００１７】
一実施形態では、例えばＭＬＣハウジング１００の内部照明システムがほぼ灰色（グレー）ではなくまたは幾つかの処理によって灰色にマッピングされていない場合にホワイトバランシング処理を実施するのが良い。ホワイトバランシングを実施するため、関心領域（ＲＯＩ）を選択し、ここでは、ＲＯＩは、内部照明システムによってのみ照明されたＭＬＣ列１０６，１１１の機械的表面である。例えば、ＲＯＩは、閉じられたアパーチュアを備えたＭＬＣ列１０６のリーフの可視表面領域として指示されるのが良い（例えば、周囲光がハウジングに入るのを阻止する場所にリーフが位置している場合）。ＲＯＩの選択に続き、平均ＲＧＢ画素値ｖをＲＯＩ内に位置する全ての画素について計算し、結果として、平均赤色画素値、平均緑色画素値および平均青色画素値が得られる。例えば、２つの画素のＲＯＩでは、画素Ａは、［９６；２５６；２５６］のＲＧＢ値を有し、画素Ｂは、［３２；０；１２８］のＲＧＢ値を有する。結果としての平均ＲＧＢ画素値は、［６４；１２８；１９２］である。ここに提供されている画素の値は、本明細書において記載する説明を助けることだけを目的とする例示であるに過ぎないことは注目されるべきである。ＲＧＢ空間を用いる実施形態を本明細書において説明するが、他の実施形態では、ＲＧＢ色空間を必要としない場合のあるＲＯＩの平均色飽和度または彩度を最小限に抑えるという作用効果を達成するために使用できる。
【００１８】
平均ＲＧＢ画素値を用いて、スカラー強度因子ｓを計算する。一実施形態では、スカラー強度因子は、平均ＲＧＢ画素値の３つの値の平均値を含む。平均ＲＧＢ画素値が［６４；１２８；１９２］の先の実施例を用いると、スカラー強度因子は、これらの３つの値の平均値であり、その結果、スカラー強度因子は、１２８である。平均ＲＧＢ画素値の値ｖおよびスカラー強度因子ｓを用いると、ホワイトバランスパラメータベクトルｇを計算するために用いられる場合がある。ホワイトバランスパラメータベクトルは、以下の方程式に示されているように平均ＲＧＢ画素値の逆数にスカラー強度因子を乗算したものとして計算される。
ｇ＝ｓ／ｖ                            （１）
例えば、上述のように計算した値を用いると、この場合、ｓ＝１２８、ｖ＝［６４；１２８；１９２］である場合、計算結果として、ｇ＝１２８／［６４；１２８；１９２］または［２．０；１．０；０．６６７］のホワイトバランスパラメータベクトルが生じる。ホワイトバランスパラメータベクトルを画素単位乗算によって利用すると、次の画像中の画素を補正することができる（したがって、ホワイトバランシング処理４２０は、コンピュータ計算されたホワイトバランスを適用するステップだけから成るのが良く、このホワイトバランスは、システムハードウェアの変化を考慮に入れるためにそれほど頻繁にはコンピュータ計算されない場合がある）。注目されるべきこととして、単一の補正ｇが行われるが、これは、次の画像中の全ての画素に適用される。例えば、ＲＧＢ値［６４；１２８；１９２］の画素が所与の場合、補正された画素ＲＧＢ値は、［６４×２．０；１２８×１．０；１９２×０．６６７］＝［１２８；１２８；１２８］である。その結果、補正された画素は、ゼロの飽和度または彩度（すなわち、赤色、緑色および青色について同一の値）および３つの色チャネルについての同一の平均強度を有する。これにより、ほぼグレースケールである（すなわち、コンピュータ計算された小さな色飽和度値を有する）ＭＬＣハウジング１００内のリーフおよび他の金属表面の外観が与えられる。幾つかの実施形態では、ホワイトバランシング処理について異なるアルゴリズムを用いることができる。例示としては、画素強度のＬ２‐ノルムによる画素強度の標準化は、概念強度または平均ＲＧＢ値以外の測定基準が挙げられるが、これらには限定されない。一変形実施形態では、測定基準は、例えばカメラ１０５がＲＧＢ以外の固有の色空間を有する場合、異なる色空間でコンピュータ計算されるのが良い。別の実施形態では、カメラハードウェアを利用したホワイトバランシング処理をセッティングが周囲光のないＲＯＩに基づいて得られる場合に使用するのが良い。
【００１９】
方法４００のブロック４３０では、処理論理は、ブロック４１０で捕捉された画像の彩度マップを決定する。一実施形態では、彩度マップは、画像中の各画素の色飽和度を表したものである。別の実施形態では、ホワイトバランシングステップを省いても良く、彩度マップは、各画素の色と基準色（すなわち、周囲光が存在しない場合にカメラによって捕捉される内部照明システムによって照明されたＭＬＣリーフ表面の外観に関する十分に特定付けられた色）との間の色空間内における距離を表したものであるのが良い。
【００２０】
方法４００のブロック４４０では、一連の形態学的および非線形変換を彩度マップ（または基準色までの色空間内の距離のマップ）Ｓに適用して減衰マップＡを生じさせ、それにより周囲光を抑制する。一実施形態では、彩度は、以下に示されている方程式２を用いて画素輝度によって調整され、Ｖは、強度（輝度）マップである。
Ｓ＝Ｓ×（１＋Ｖ）                        （２）
方程式２の結果を用いると、以下に示す方程式３を用いて鮮明な非線形減衰曲線を作る。所望の鮮明な非線形減衰曲線は、当初、高い勾配値を有するのが良く、勾配値は、指定された彩度値に達すると急減する。結果として、減衰曲線は、リーフ存在場所を表す画素を減衰させない状態で周囲光に起因した高い彩度値を備えた画素を極めて減衰させる減衰曲線が得られる。
Ａ＝１／（ａ×Ｓ3＋ｂ×Ｓ2＋ｃ×Ｓ＋ｄ）              （３）
ブロック４４０で説明した方法の変形例は、減衰マップを１／（１＋Ｓ）としてコンピュータ計算することである。変形例として、彩度マップを三次関数の入力として「直接」用いてブロック４４０の第１のステップ（Ｓ＝Ｓ×（１＋Ｖ））をスキップしても良い。
【００２１】
三次係数（ａ，ｂ，ｃ，ｄ）を実験により求めることができまたはある特定の形式の周囲光についてコンピュータ計算するのが良く（例えば、曲線を所望の応答に当てはめることによって、この場合、ｘ軸は、彩度であり、ｙ軸は、所望の減衰量の逆数である）ある特定の形式の周囲光に関する所望の減衰曲線または応答を得ることができる。このように、減衰の感度を彩度値のある特定の分布を有する周囲光に合わせるのが良い。別の実施形態では、任意形式の適当な伝達関数、例えば指数関数もしくは高次多項式または超越関数の組み合わせを用いるのが良い。形態学的処理（すなわち、減衰マップＡのグレースケール開放または侵食）を実施して補正された画像中のノイズおよび高周波数アーチファクトを減少させる。形態学的処理の使用は、原画像が多量のノイズを有している場合または色チャネルのノイズが独立している場合に有用な場合がある。次に、周囲光減衰マップを画素単位乗算（Ｖ＝Ｖ×Ａ）により元の画像に適用する。ブロック４５０では、集光光が抑制された状態の最終画像を提供する。
【００２２】
注目されるべきことして、上述の処理は、周囲光の影響を抑制する一方法であるに過ぎず、変形実施形態では、図４の処理のうちのある特定の処理は、ある特定の処理は、オプションであって良くまたは例えばブロック４４０において非線形変換ではなく線形変換の使用によって単純な形態を取ることができる。
【００２３】
図５は、図３に示されている画像３００についてブロック４５０で作られた最終の画像５００を示しており、暗い領域は、最も低い減衰値を表す明るい領域に対して高い減衰値を表している。図４のブロック４４０で決定された周囲光減衰マップを画素単位乗算（Ｖ＝Ｖ・Ａ）により）元の画像３００全体に適用する。周囲光減衰マップは、リーフ存在場所を表す画素（これら画素は、ブロック４２０によりまたは他の技術によって適当にホワイトバランシングされたものである）を最小限に減衰させながら、周囲光によって生じた高い彩度値を有する画素を大幅に減衰させる。結果として得られた画像５００は、例えば図３の下方領域３０２と比較して下方領域５０２で顕著に見えるアパーチュア２０２を通ってＭＬＣハウジング１００に入った周囲光の抑制状態（幾何学的補正と一緒に）示している。周囲光が抑制された状態で、カメラ利用型フィードバックシステムは、ＭＬＣ列１０６の個々のリーフの存在場所を確実に確認するとともに追跡することができる。
【００２４】
図６は、放射線治療を実施する際に使用できるシステムの一実施形態を示している。これらシステムは、例えば上述の方法を実行するために使用できる。以下に説明するとともに図６に示されているように、システム６００は、診断画像化システム６０５、治療計画システム６１０、治療送出システム６１５および運動検出システム（図示せず）を含むのが良い。一実施形態では、診断画像化システム６０５および運動検出システムは、単一ユニットの状態に組み合わされる。
【００２５】
診断画像化システム６０５は、次の医学的診断、治療計画、治療シミュレーションおよび／または治療送出のために使用できる患者の医学的診断画像を生じさせることができる任意のシステムであって良い。例えば、診断画像化システム６０５は、コンピュータ断層撮影（ＣＴ）システム、磁気共鳴映像（ＭＲＩ）システム、ポジトロンエミッショントモグラフィ（ＰＥＴ）システムなどであるのが良い。説明を簡単にするために、診断画像化システム６０５をＸ線画像化モダリティと関連して時として以下において説明する場合がある。他の実施形態では、例えば上述したような他の画像化モダリティもまた用いることができる。
【００２６】
一実施形態では、診断画像化システム６０５は、画像化ビーム（例えば、Ｘ線）を発生させる画像化源６２０および画像化源６２０によって生じたビームまたは画像化源（例えば、ＭＲＩまたはＰＥＴスキャンにおいて）からのビームによって刺激された二次ビームまたはエミッションを検出して受け取るための画像化検出器６３０を含む。
【００２７】
一実施形態では、画像化源６２０および画像化検出器６３０は、画像化処理を制御するとともに画像データを処理するためにディジタル処理システム６２５に結合されるのが良い。一実施形態では、診断画像化システム６０５は、治療送出システム６１５からの画像化指令を受け取るのが良い。
【００２８】
診断画像化システム６０５は、ディジタル処理システム６２５、画像化源６２０および画像化検出器６３０の間でデータおよび指令を移送するバスまたは他の手段６８０を含む。ディジタル処理システム６２５は、１つまたは２つ以上の汎用プロセッサ（例えば、マイクロプロセッサ）、特定目的プロセッサ、例えばディジタル信号プロセッサ（ＤＳＰ）または他形式の装置、例えばコントローラまたはフィールドプロプログラマブルゲートアレイ（ＦＰＧＡ）を含むのが良い。ディジタル処理システム６２５は、他のコンポーネント（図示せず）、例えばメモリ、記憶装置、ネットワークアダプタなどを更に含むのが良い。ディジタル処理システム６２５は、ディジタル診断画像を標準フォーマット、例えば、ディジタル・イメージング・アンド・コミュニケーションズ・イン・メディシン（Digital Imaging and Communications in Medicine：ＤＩＣＯＭ）フォーマットで発生させるよう構成されているのが良い。他の実施形態では、ディジタル処理システム６２５は、他の標準または非標準ディジタル画像フォーマットを発生させることができる。ディジタル処理システム６２５は、診断画像ファイル（例えば、上述のＤＩＣＯＭフォーマット化ファイル）をデータリンク６８３により治療送出システム６１５に伝送するのが良く、データリンク６８３は、例えばダイレクトリンク、ローカルエリアネットワーク（ＬＡＮ）リンクまたはワイドエリアネットワーク（ＷＡＮ）リンク、例えばインターネット（Internet）であるのが良い。加うるに、システム相互間で移送される情報は、例えば遠隔診断または治療計画形態においてシステムを互いに接続する通信媒体を介して引かれまたは押されるのが良い。遠隔診断または治療計画の際、ユーザは、本発明の実施形態を利用してシステムユーザと患者との間の物理的離隔状態が存在しているにもかかわらず診断しまたは治療することができる。
【００２９】
一実施形態では、治療計画に一致して処方された放射線量を標的体積に投与する治療送出システム６１５は、治療および／または外科的放射線源６６０を含む。治療送出システム６１５は、コンピュータ断層撮影（ＣＴ）、例えばコーンビームＣＴを実施するための画像化システム６６５を更に含むのが良く、画像化システム６６５によって生じた画像は、二次元（２Ｄ）または三次元（３Ｄ）であるのが良い。
【００３０】
治療送出システム６１５は、放射線源６６０を制御し、診断画像化６０５および／または治療計画システム６１０からのデータを受け取って処理し、そして患者支持装置、例えば治療台６７５を制御するためにディジタル処理システム６７０を更に含むのが良い。ディジタル処理システム６７０は、上述したカメラフィードバックシステムに連結されその一部であるのが良く、このディジタル処理装置は、図１のカメラ１０５によって捕捉された画像に対して作動する。ディジタル処理システム６７０は、診断画像化システム６０５、２つまたは３つ以上の立体投影像から受け取った２ＤＸ線画像を診断画像化システム６０５のディジタル処理システム６２５によって生じたディジタル再構成Ｘ線像（ＤＲＲ）および／または治療計画システム６１０の処理装置６４０によって生じたＤＲＲに位置合わせするよう構成されているのが良い。ディジタル処理システム６７０は、１つまたは２つ以上の汎用プロセッサ（例えば、マイクロプロセッサ）、特定目的プロセッサ、例えばディジタル信号プロセッサ（ＤＳＰ）または他形式の装置、例えばコントローラまたはフィールドプログラマブルゲートアレイ（ＦＰＧＡ）を含むのが良い。ディジタル処理システム６７０の処理装置は、治療送出処理、例えば図４と関連して上述した方法４００を実施するための命令を実行するよう構成されているのが良い。
【００３１】
一実施形態では、ディジタル処理システム６７０は、処理装置に結合されていて情報および処理装置によって実行されるべき命令を記憶する読み取り書き込み記憶装置（ＲＡＭ）または他の動的記憶装置を有するのが良いシステムメモリを含む。システムメモリはまた、処理装置による命令の実行中、一時的変数または他の中間情報を記憶するために使用できる。システムメモリは、読み取り専用記憶装置（ＲＯＭ）および／または静的情報および処理装置のための命令を記憶する他の静的記憶装置を更に含むのが良い。
【００３２】
ディジタル処理装置システム６７０は、情報および命令を記憶する１つまたは２つ以上の記憶装置（例えば、磁気ディスク駆動機構または光学ディスク駆動機構）を表す記憶装置を更に含むのが良い。記憶装置は、本明細書において説明する治療送出ステップを実施するための命令を記憶するために使用されるのが良い。ディジタル処理システム６７０は、バス６９２または他形式の制御および通信インターフェースによって放射線源６６０および治療台６７５に結合されるのが良い。
【００３３】
ディジタル処理システム６７０は、放射線源６６０によって送り出された放射線治療ビームと標的の位置合わせ状態を維持するために診断Ｘ線画像化のタイミングを管理する方法を実行するのが良い。
【００３４】
一実施形態では、治療送出システム６１５は、バス６９２を経てディジタル処理システム６７０に接続された入力装置６７８およびディスプレイ６７７を含む。ディスプレイ６７７は、標的移動速度（例えば、治療下にある標的体積の移動速度）を識別するトレンドデータを示すことができる。ディスプレイはまた、患者の現在の放射線被曝量および患者のための投影済み放射線被曝量を示すことができる。入力装置６７８により、医師は、治療中、治療送出計画のパラメータを調節することができる。
【００３５】
治療計画システム６１０は、治療計画および／またはシミュレーション計画を立案したり変更したりするために処理装置６４０を含む。処理装置６４０は、１つまたは２つ以上の汎用プロセッサ（例えば、マイクロプロセッサ）、特定目的プロセッサ、例えばディジタル信号プロセッサ（ＤＳＰ）または他形式の装置、例えばコントローラまたはフィールドプロプログラマブルゲートアレイ（ＦＰＧＡ）を含むのが良い。処理装置６４０は、本明細書において説明するシミュレーション生成操作および／または治療計画操作を実施する命令を実行するよう構成されているのが良い。
【００３６】
治療計画システム６１０は、バス６８６によって処理装置６４０に結合されていて処理装置６４０によって実行されるべき命令を記憶する読み取り書き込み記憶装置（ＲＡＭ）または他の動的記憶装置を有するのが良いシステムメモリ６３５を更に含む。システムメモリ６３５はまた、処理装置６４０による命令の実行中、一時的変数または他の中間情報を記憶するために使用できる。システムメモリ６３５は、読み取り専用記憶装置（ＲＯＭ）および／またはバス６８６に結合されていて処理装置６４０のための静的情報および命令を記憶する他の静的記憶装置を更に含むのが良い。
【００３７】
治療計画システム６１０は、バス６８６に結合されていて情報および命令を記憶する１つまたは２つ以上の記憶装置（例えば、磁気ディスク駆動機構または光学ディスク駆動機構）を表す記憶装置６４５を更に含むのが良い。記憶装置６４５は、本明細書において説明した治療計画ステップを実施するための命令を記憶するために使用できる。
【００３８】
処理装置６４０はまた、情報（例えば、ＶＯＩの２Ｄまたは３Ｄ表示）をユーザに表示するディスプレイ装置６５０、例えば陰極線管（ＣＲＴ）または液晶ディスプレイ（ＬＣＤ）に結合されるのが良い。入力装置６５５、例えばキーボードが情報および／または指令選択を処理装置６４０に伝えるために処理装置６４０に結合されるのが良い。１つまたは２つ以上の他のユーザ入力装置（例えば、マウス、トラックボールまたはカーソル方向器）もまた、指向性情報を伝え、処理装置６４０のための指令を選択し、そしてディスプレイ６５０上でのカーソルの動きを制御するために使用されるのが良い。
【００３９】
治療計画システム６１０は、治療送出システム、例えば治療送出システム６１５とそのデータベース（例えば、記憶装置６４５内に記憶されているデータ）を共有することができ、その結果、治療送出に先立って治療計画システムからエクスポートする必要ではないようにすることができる。治療計画システム６１０は、データリンク６９０を経由して治療送出システム６１５にリンクされるのが良く、データリンク６９０は、一実施形態では、ダイレクトリンク、ＬＡＮリンクまたはＷＡＮリンクであるのが良い。
【００４０】
注目されるべきこととして、データリンク６８３，６８６，６９０がＬＡＮまたはＷＡＮ接続部として具体化されると、診断画像化システム６０５、治療計画システム６１０、および／または治療送出システム６１５のうちの任意のものは、非集中型分散化場所に位置するのが良く、その結果、システムは、互いに物理的に遠くに位置するのが良い。変形例として、診断画像化システム６０５、治療計画システム６１０、および／または治療送出システム６１５のうちの任意のものを１つまたは２つ以上のシステム内で互いに一体化されても良い。
【００４１】
図７および図８は、本発明の実施形態としての画像誘導式放射線治療システム７００，８００の形態を示している。図示の実施形態では、放射線治療システム７００，８００は、放射線治療源として作用する直線加速器（ＬＩＮＡＣ）７０１、およびＭＬＣハウジング１００を含む。一実施形態では、ＬＩＮＡＣ７０１およびＭＬＣハウジング１００は、ＬＩＮＡＣ７０１およびＭＬＣハウジング１００を位置決めして病理解剖学的構造（例えば、標的７２０）を患者の周りの手術ボリューム内の多数の平面内における多数の角度から送り出されたビームで照射するために、多数の（例えば、５つまたは６つ以上の）自由度を備えたロボットアーム端部７０２の端部に取り付けられている。治療は、単一のアイソセンタ、多アイソセンタを含むビーム経路または非アイソセントリック方式のビーム経路を必要とするのが良い。変形例として、他形式の画像誘導式放射線治療（ＩＧＲＴ）システムを用いても良い。一変形実施形態では、ＬＩＮＡＣ７０１およびＭＬＣハウジング１００は、アイソセントリックビーム経路を提供するようガントリ利用型システムに取り付けられるのが良い。特定の一実施形態では、ＩＧＲＴシステムは、ベロＳＢＲＴシステム（日本国においてＴＭ２００と呼ばれている）、剛性Ｏリング利用ガントリを利用した日本国東京所在の三菱重工業株式会社と独国のブレインラブ・エーゲー（BrainLAB AG）の共同製品である。
【００４２】
一実施形態では、ＬＩＮＡＣ７０１およびＭＬＣハウジング１００は、ロボットアーム７３５を移動させることによって治療中、多数の互いに異なるノード（ロボットが停止するとともに放射線を送り出すことができる既定の位置）のところに位置決めされるのが良い。ノードのところで、ＬＩＮＡＣ７０１は、１本または２本以上の放射線治療ビームを標的に送り出すことができる。ノードは、患者の周りにほぼ球形の分布状態をなして配置されるのが良い。ノードの特定の数および各ノードのところで適用される治療ビームの数は、治療されるべき病理解剖学的構造の場所および種類の関数として様々な場合がある。例えば、ノードの個数は、５０から３００まで、より好ましくは１５から１００まで様々な場合があり、ビームの本数は、７００から３２００まで、またはより好ましくは５０から３００まで様々な場合がある。
【００４３】
図７を参照すると、本発明の一実施形態としての放射線治療システム７００がＸ線源７０３Ａ，７０３Ｂおよび固定Ｘ線検出器７０４Ａ，７０４Ｂに接続されたプロセッサ７３０を搭載した画像化システム６６５を含む。変形例として、Ｘ線源７０３Ａ，７０３Ｂおよび／またはＸ線検出器７０４Ａ，７０４Ｂは、移動可能であるのが良く、この場合、これらは、標的７２０との整列状態を維持するよう再位置決め可能でありまたは変形例として互いに異なる向きから標的を画像化しもしくは多くのＸ線画像を吸収して三次元（３Ｄ）コーンビームＣＴを再構成するよう再位置決め可能である。一実施形態では、Ｘ線源は、点源ではなく、これとは異なり、当業者には理解されるようにＸ線源アレイである。一実施形態では、ＬＩＮＡＣ７０１は、画像化源（ガントリ取り付け型であるにせよロボット取り付け型であるにせよいずれにせよ）としての役目を果たし、この場合、ＬＩＮＡＣ出力レベルを画像化のための許容可能なレベルに減少させる。
【００４４】
画像化システム６６５は、コンピュータ断層撮影法（ＣＴ）、例えばコーンビームＣＴを実施することができ、画像化システム６６５によって生じた画像は、二次元（２Ｄ）または三次元（３Ｄ）であるのが良い。２つのＸ線源７０３ａ，７０３ｂを手術室の天井の固定された位置に取り付けるのが良く、そしてこれらのＸ線源を整列させて２つの互いに異なる角度位置（例えば、９０°だけ離されている）からＸ線画像化ビームを投射して機械アイソセンタ（本明細書では治療センタといい、これは、治療の際、患者の治療台７０６上に位置決めするための基準点となる）のところで交差させるとともに患者を通過したあと、それぞれの検出器７０４ａ，７０４ｂの画像化平面を照射する。一実施形態では、画像化システム６６５は、標的７２０および周りの関心ボリューム（ＶＯＩ）の立体画像化を可能にする。他の実施形態では、画像化システム６６５は、３つ以上または１つ以下のＸ線源および３つ以上または１つ以下の検出器を含むのが良く、検出器のどれもが固定されているのではなく可動であるのが良い。さらに別の実施形態では、Ｘ線源および検出器の位置は、相互に交換可能である。検出器７０４ａ，７０４ｂは、Ｘ線を可視光に変換する発光物質（例えば、非晶質シリコン）で作られるのが良く、非晶質シリコンおよび当業者には周知であるようにディジタル画像の座標系を基準画像の座標系に変換する画像位置合わせ（イメージレジストレーション）プロセス中、基準画像と比較することができるディジタル画像に光を変換するＣＭＯＳ（相補型金属酸化膜半導体）またはＣＣＤ（電荷結合素子）画像化セルのアレイで作られるのが良い。基準画像は、例えば、ディジタル合成Ｘ線像（ＤＲＲ）であるのが良く、これは、光線をＣＴ画像中に向けることによってＸ線画像形成プロセスのシミュレートに基づいて３Ｄ・ＣＴ画像から作られた仮想Ｘ線画像である。
【００４５】
図８を参照すると、変形実施形態では、画像化システム８１０は、標的運動を算定する運動検出装置８１２、検出場８４０を有する運動検出装置８１４を含む。運動検出装置８１４は、画像化場８５０内で起こる外部患者運動（例えば、呼吸中の胸部運動）を検出することができる。運動検出装置８１４は、標的運動を識別することができる任意のセンサまたは他の装置であるのが良い。運動検出装置８１４は、例えば、光学センサ、例えばカメラ、圧力センサ、電磁センサ、またはイオン化放射線をユーザに送ることなく運動検出を行うことができる他の何らかのセンサ（例えば、Ｘ線画像化システム以外のセンサ）であるのが良い。一実施形態では、運動検出装置８１４は、標的運動を表す測定データをリアルタイムで収集する。変形例として、達成できる周波数またはＸ線画像化で望ましい周波数（患者に各Ｘ線画像とともに送り出されるイオン化放射線に起因して）よりも高い（潜在的に実質的に高い）周波数で測定データを収集しても良い。一実施形態では、運動検出装置８１４は、高い絶対位置精度を提供することはない。これとは異なり、運動検出装置８１４は、患者の運動および標的の運動を検出するのに十分な相対的位置精度を提供することができる。
【００４６】
一実施形態では、運動検出装置８１４は、光学システム、例えばカメラである。光学システムは、患者７２５上に位置する発光ダイオード（ＬＥＤ）の位置を追跡するのが良い。変形例として、光学システムは、患者上に位置するＬＥＤの追跡から識別される患者７２５の表面領域を直接追跡しても良い。標的の運動とＬＥＤおよび／または患者７２５の表面領域の運動との間に相関が存在する場合がある。ＬＥＤおよび／または表面領域の運動が検出されたとき、補正に基づいて、標的７２０が標的の存在場所を正確に突き止めるために別の診断Ｘ線画像を必要とするほど十分に動いたことが判定できる。
【００４７】
図９は、ガントリ利用型（アイソセントリック）強度変調Ｘ線像（ＩＭＲＴ）システム９００の一実施形態を示している。ガントリ利用型システム９００では、ヘッド組立体９０１を備えた放射線源（ＬＩＮＡＣ）９０２およびＭＬＣハウジング１００は、これらが患者の軸方向スライスに対応した平面内で回転するようガントリに取り付けられている。次に、放射線を円形回転表面上の幾つかの位置から送り出す。ＩＭＲＴでは、放射線ビームの形状は、ビームを部分的に遮断することができるマルチリーフコリメータ（ＭＬＣ）によって定められ、その結果、患者に入射する残りのビームは、既定の形状を有するようになる。結果としてのシステムは、線量分布を標的に送り出すためにアイソセンタのところで互いに交差する恣意的な形状の放射線ビームを発生させる。一実施形態では、ガントリ利用型システム９００は、Ｃ字形アーム利用システムであるのが良い。
【００４８】
上述の説明から、本発明の諸観点を少なくとも部分的にソフトウェアで具体化できることは明らかであろう。すなわち、かかる技術を例えばメモリに入っている命令のシーケンスを実行するコンピュータシステムまたはそのプロセッサに応答する他のデータ処理システム、例えばディジタル処理システム６７０で実施できる。種々の実施形態では、ハードウェア回路をソフトウェア命令と組み合わせて使用でき、それにより本発明を具体化できる。かくして、かかる技術は、ハードウェア回路とソフトウェア回路の任意特定の組み合わせまたはデータ処理システムによって実行される命令の任意適当な源には限定されない。加うるに、本明細書全体を通じ、種々の機能および処理を説明を簡単にするためにソフトウェアコードによって実施されるものとしてまたは引き起こされるものとして説明することができる。しかしながら、当業者であれば認識されるように、かかる表現は、機能がプロセッサまたは制御装置、例えばディジタル処理システム６７０によるコードの実行の結果として得られることを意味している。
【００４９】
機械可読媒体を用いると、ソフトウェアおよびデータを記憶することができ、かかるソフトウェアおよびデータは、汎用または特定目的データ処理システムによって実行されると、システムは、本発明の種々の方法を実施するようになる。この実施可能なソフトウェアおよびデータを種々の場所に記憶させることができ、かかる場所としては、例えば、システムメモリおよび記憶装置またはソフトウェアプログラムおよび／またはデータを記憶することができる任意他の装置が挙げられる。かくして、機械可読媒体は、機械（例えば、コンピュータ、ネットワーク装置、携帯情報端末、製造ツール、１組の１つまたは２つ以上のプロセッサを備えた任意の装置など）によってアクセス可能な形態で情報を提供する（すなわち、記憶する）任意の機構を含む。例えば、機械可読媒体としては、記録可能／記録不能媒体、例えば読み取り専用記憶装置（ＲＯＭ）、読み取り書き込み記憶装置（ＲＡＭ）、磁気ディスク記憶媒体、光記憶媒体、フラッシュメモリデバイスなどが挙げられる。
【００５０】
上述の説明から明らかなように別段の指定がなければ、原文明細書において用いられる例えば“processing”（訳文では「処理する」としている場合が多い）、“computing”（訳文では「コンピュータ計算する」）、“generating”（訳文では「発生させる」または「生成する」）、“comparing”（訳文では「比較する」）、“determining”（訳文では「決定する」または「判定する」）、“calculating”（訳文では「計算する」）、“performing”（訳文では「実行する」または「実施する」）、“identifying”（訳文では「識別する」）などという用語は、コンピュータシステムまたはコンピュータシステムのレジスタおよびメモリ内の物理的（例えば、電子）量として表されたデータを処理してかかるデータをコンピュータシステムメモリもしくはレジスタまたは他のかかる情報記憶もしくは表示装置内の物理量として同様に表された他のデータに変換する類似の電子コンピュータ計算処理を意味することは理解されよう。本明細書において説明する方法および実施形態は、コンピュータソフトウェアを用いて具体化できる。認識された規格に適合するプログラミング言語で書かれた場合、方法を実施するよう設計された命令のシーケンスを種々のハードウェアプラットホーム上での実行可能にかつ種々のオペレーティングシステムに対してインターフェース可能にコンパイルすることができる。加うるに、本発明の実施形態は、任意特定のプログラミング言語に関して説明されてはいない。種々のプログラミング言語を用いて本発明の実施形態を実施することができることは理解されよう。
【００５１】
本明細書において説明した方法および装置は、医学的診断画像化および治療にのみ使用が限定されるわけではないということは注目されるべきである。変形実施形態では、本明細書において説明した方法および装置は、医学的技術分野の他の用途、例えば工業用画像化および材料の非破壊検査において使用することができる。かかる用途では、「治療」は、一般に、治療計画システムにより制御される処理の実施、例えばビーム（例えば、放射線、音波など）の適用を意味する場合があり、「標的」は、非解剖学的構造対象物または領域を意味する場合がある。
【００５２】
上述の説明において、本発明をその特定の例示の実施形態に関して説明した。しかしながら、特許請求の範囲に記載された本発明の広い精神および範囲から逸脱することなくかかる実施形態に対して種々の改造および変更を行うことができることは明らかであろう。したがって、明細書および図面は、本発明を限定するのではなく例示として見なされるべきである。
【００５３】
本発明の実施形態は、以下の実施態様項を考慮して説明できる。
〔実施態様項１〕  方法であって、
マルチリーフコリメータ（ＭＬＣ）のハウジング内に配置された照明システムを用いて上記ＭＬＣのリーフを第１の光で照明するステップと、
上記ＭＬＣのアパーチュアを通って上記ＭＬＣの上記ハウジング内の周囲光を受け取るステップと、
上記ＭＬＣの上記ハウジング内に位置する光学素子を含む画像化システムを用いて上記第１の光および上記周囲光で照明された上記ＭＣＬの上記リーフの第１の画像を捕捉するステップと、
上記第１の画像中の上記周囲光を抑制して上記ＭＬＣの上記リーフの第２の画像を処理装置によって生成するステップと、
上記第２の画像中の上記ＭＬＣの上記リーフの特徴を検出するステップとを含む、方法。
〔実施態様項２〕  上記第１の画像中の周囲光を抑制する上記ステップは、上記ＭＬＣの上記アパーチュアを形作る上記リーフの前縁近くの周囲光を抑制するステップを含む、実施態様項１記載の方法。
〔実施態様項３〕  上記第２の画像中の上記検出された特徴を用いて上記ＭＬＣのリーフの位置を追跡するステップを更に含む、実施態様項１記載の方法。
〔実施態様項４〕  上記周囲光を抑制して上記第２の画像を生成する上記ステップは、
上記第１の画像に関する減衰マップを生成するステップと、
上記減衰マップを用いて上記第２の画像を生成するステップとを含む、実施態様項１記載の方法。
〔実施態様項５〕  上記周囲光を抑制して上記第２の画像を生成する上記ステップは、上記減衰マップの生成に先立って上記第１の画像に関する彩度マップを決定するステップを更に含み、上記減衰マップを生成する上記ステップは、一連の形態学的および非線形変換を上記彩度マップに適用するステップを含む、実施態様項４記載の方法。
〔実施態様項６〕  上記第２の画像を生成する上記ステップは、上記減衰マップを画素単位乗算により上記第１の画像に適用するステップを含む、実施態様項４記載の方法。
〔実施態様項７〕  上記周囲光を抑制する上記ステップは、
第１の画像を受け取るステップを含み、上記第１の画像は、第１の複数の画素値を対応して有する第１の複数の画素を含み、
上記第１の複数の画素値の各画素値に対して乗算処理を行うことによって第２の複数の画素値を生成するステップを含み、
彩度レベルに対してある特定の応答を達成するよう定められた係数を有する多項式関数を用いて第３の複数の画素値を生成するステップを含み、上記第３の複数の画素値は、上記第２の画像を構成する、実施態様項１記載の方法。
〔実施態様項８〕  上記彩度マップは、上記第１の画像中に画素の色と基準色との間の色空間距離を有する、実施態様項４記載の方法。
〔実施態様項９〕  上記彩度マップは、上記第１の画像中の各画素の彩度の表現であり、上記方法は、
上記第１の画像に対してホワイトバランシング処理を実施するステップを更に含む、実施態様項４記載の方法。
〔実施態様項１０〕  上記ホワイトバランシング処理を実施する上記ステップは、
上記第１の画像と関連した関心のある領域を決定するステップと、
上記第１の画像中の上記関心のある領域と関連した複数の画素のうちの各々について平均赤緑青（ＲＧＢ）画素値を計算するステップと、
上記平均ＲＧＢ画素値に基づいて強度因子を計算するステップと、
上記平均ＲＧＢ画素値および上記強度因子に基づいてホワイトバランスパラメータベクトルを計算するステップと、
上記ホワイトバランスパラメータベクトルを上記第１の画像中の複数の画素の類似した位置に対応する次の画像中の次の複数の画素に適用するステップとを含む、実施態様項９記載の方法。
〔実施態様項１１〕  上記ホワイトバランスパラメータベクトルは、次の画像中の上記複数の画素を補正するために画素単位乗算によって適用される、実施態様項１０記載の方法。
〔実施態様項１２〕  上記減衰マップを生成する上記ステップは、
上記第１の画像中の画素について減衰曲線を創成するステップを含み、上記減衰曲線は、周囲光に起因して高い飽和度値を有する画素を減衰させ、上記減衰曲線は、上記第１の画像中のコリメータリーフ存在場所を表す画素を減衰させない、実施態様項４記載の方法。
〔実施態様項１３〕  上記減衰マップに対して形態学的処理を実施して上記減衰マップ中のノイズおよび高周波数アーチファクトを減少させるステップを更に含む、実施態様項１２記載の方法。
〔実施態様項１４〕  上記照明システムは、ＬＥＤ照明システムである、実施態様項１記載の方法。
〔実施態様項１５〕  上記第１の光は、白色光である、実施態様項１記載の方法。
〔実施態様項１６〕  上記第１の光は、上記第１の一次波長を有し、上記周囲光は、第２の一次波長を有し、上記第１の一次波長は、上記第２の一次波長とは同じでないように選択される、実施態様項１記載の方法。
〔実施態様項１７〕  放射線治療システムであって、
ハウジング内に配置されたマルチリーフコリメータ（ＭＬＣ）と、
上記ＭＬＣの上記ハウジング内に設けられていて、上記ＭＬＣのリーフを第１の光で照明する照明システムと、
上記第１の光および周囲光で照明された上記ＭＬＣの上記リーフの第１の画像を捕捉する画像化システムと、
上記ＭＬＣのリーフの複数の画像を記憶するメモリと、
上記メモリに作動的に結合された処理装置とを含み、上記処理装置は、
上記ＭＬＣの上記リーフの上記第２の画像を上記処理装置によって生成するよう上記第１の画像中の上記周囲光を抑制し、そして、
上記第２の画像中の上記ＭＬＣの上記リーフの特徴を検出するよう構成されている、放射線治療システム。
〔実施態様項１８〕  上記第１の画像中の上記周囲光を抑制するため、上記処理装置は更に、上記ＭＬＣのアパーチュアを形作る上記リーフの前縁の近くの周囲光を抑制するよう構成されている、実施態様項１７記載の放射線治療システム。
〔実施態様項１９〕  上記処理装置は更に、上記第２の画像を含む上記検出された特徴を用いて上記ＭＬＣのリーフの位置を追跡するよう構成されている、実施態様項１７記載の放射線治療システム。
〔実施態様項２０〕  上記第１の画像は、第１の複数の画素値を対応関係をなして有する第１の複数の画素を有し、上記周囲光を抑制するため、上記処理装置は更に、
上記第１の複数の画像値のうちの各画素値に対して乗算処理を実施することによって第２の複数の画素値を生成し、そして、
上記周囲光のある特定の形式についての応答を得るために決定された係数を有する多項式関数を用いて第３の複数の画素値を生成するよう構成され、上記第３の複数の画素は、上記第２の画像を構成する、実施態様項１９記載の放射線治療システム。
〔実施態様項２１〕  上記画像化システムは、上記ＭＬＣの上記ハウジング内に位置する光学素子を含む、実施態様項１７記載の放射線治療システム。
〔実施態様項２２〕  上記周囲光を抑制するため、上記処理装置は更に、
上記第１の画像化について減衰マップを生成し、そして、
上記減衰マップを用いて上記第２の画像を生成するよう構成されている、実施態様項１７記載の放射線治療システム。
〔実施態様項２３〕  非一過性機械可読記憶媒体であって、処理装置によってアクセスされると、上記処理装置は、
第１の光および周囲光で照明されたマルチリーフコリメータ（ＭＬＣ）のリーフの第１の画像を受け取り、
上記処理装置によって上記ＭＬＣの上記リーフの第２の画像を生成するよう上記第１の画像中の上記周囲光を抑制し、そして、
上記処理装置によって上記第２の画像中の上記ＭＬＣの上記リーフの特徴を検出するようにさせる命令を含むことを特徴とする非一過性機械可読記憶媒体。
〔実施態様項２４〕  上記周囲光を抑制して上記第２の画像を生成するため、上記処理装置は更に、
上記第１の画像について減衰マップを生成し、そして、
上記減衰マップを用いて上記第２の画像を生成するよう構成されていることを特徴とする実施態様項２３記載の非一過性機械可読記憶媒体。
【図１Ａ】
2018524066.tif 000003
【図１Ｂ】
2018524066.tif 000004
【図１Ｃ】
2018524066.tif 000005
【図２Ａ】
2018524066.tif 000006
【図２Ｂ】
2018524066.tif 000007
【図３】
2018524066.tif 000008
【図４】
2018524066.tif 000009
【図５】
2018524066.tif 000010
【図６】
2018524066.tif 000011
【図７】
2018524066.tif 000012
【図８】
2018524066.tif 000013
【図９】
2018524066.tif 000014
【国際調査報告】
2018524066.tif 000015
2018524066.tif 000016